(57)【要約】【課題】ＯＳＤデータを１画面分のみ格納可能なＯＳＤ　ＩＣを使用するＯＳＤ表示機能付映像表示装置において、ＯＳＤ画面の更新の際のＯＳＤＩＣでの処理を簡略化することにある。【解決手段】ＯＳＤデータを１画面分のみ格納可能なＯＳＤ　ＩＣ１を使用するＯＳＤ表示機能付映像表示装置において、映像データとＯＳＤデータとを合成するＯＳＤ　ＩＣ１と、ＯＳＤ画面の下側画面及び上側画面に対応する下側ＯＳＤデータと上側ＯＳＤデータとを格納可能であり、下側ＯＳＤデータと上側ＯＳＤデータとを合成し、合成後のＯＳＤデータをＯＳＤ　ＩＣ１に書き込むＣＰＵ２とを備える。【選択図】　　　図２
2004088478.tif 000002
【特許請求の範囲】
【請求項１】
ＯＳＤデータを１画面分のみ格納可能なＯＳＤ　ＩＣを使用するＯＳＤ表示機能付映像表示装置において、
映像データとＯＳＤデータとを合成するＯＳＤ　ＩＣと、
ＯＳＤ画面の下側画面及び上側画面に対応する下側ＯＳＤデータと上側ＯＳＤデータとを格納可能であり、前記下側ＯＳＤデータと前記上側ＯＳＤデータとを合成し、合成後のＯＳＤデータを前記ＯＳＤ　ＩＣに書き込むＣＰＵと、
を備えることを特徴とするＯＳＤ表示機能付映像表示装置。
【請求項２】
ＯＳＤデータを１画面分のみ格納可能なＯＳＤ　ＩＣを使用するＯＳＤ表示機能付映像表示装置において、
映像データとＯＳＤデータとを合成するＯＳＤ　ＩＣと、
ＯＳＤ画面の下側画面及び上側画面に対応する下側ＯＳＤデータと上側ＯＳＤデータとを格納可能なメモリと、
前記下側ＯＳＤデータと前記上側ＯＳＤデータとを合成し、合成後のＯＳＤデータを前記ＯＳＤ　ＩＣに書き込むＯＳＤ合成手段と、
を備えることを特徴とするＯＳＤ表示機能付映像表示装置。
【請求項３】
前記メモリ及び前記ＯＳＤ合成手段はＣＰＵに含まれる、請求項２に記載のＯＳＤ表示機能付映像表示装置。
【発明の詳細な説明】
【０００１】
【発明の属する技術分野】
本発明は、ＯＳＤ表示機能付映像表示装置、特に、ＯＳＤデータを１画面分のみ格納可能なＯＳＤ　ＩＣを使用するＯＳＤ表示機能付映像表示装置に関する。映像表示装置は、例えば、テレビ、ビデオデッキ、ＤＶＤデッキである。
【０００２】
【従来の技術】
図１は、従来のＯＳＤ（オンスクリーンディスプレイ）表示機能付映像表示装置における映像データとＯＳＤデータとの合成を説明するブロック図である。
ＯＳＤ　ＩＣ１は、映像データメモリ１１と、ＯＳＤメモリ１２と、合成部１３とを備えている。映像データメモリ１１は、ＣＰＵ２からの読込同期信号に基づいて映像データを格納する。映像データは、例えば、テレビチューナからの映像データ、ビデオテープから読み出された映像データ、ＤＶＤから読み出された映像データである。ＯＳＤメモリ１２は、ＯＳＤデータを１画面分だけ格納可能であり、ＣＰＵ２から書き込まれるＯＳＤデータを格納する。合成部１３は、ＣＰＵ２からの合成制御信号に基づいて、映像データメモリ１１の映像データとＯＳＤメモリ１２のＯＳＤデータとを合成して出力する。
【０００３】
ＣＰＵ２は、ＯＳＤ　ＩＣ１に接続されており、ＯＳＤ　ＩＣ１の制御を行う。具体的には、映像データの読み込みの制御、ＯＳＤ画像の書き込み制御、映像とＯＳＤ画像との合成の制御を行う。
ＯＳＤメモリ２１に格納されているＯＳＤ画像は、下側ＯＳＤ画像の上に上側ＯＳＤ画像が上書きされたものである。ＣＰＵ２は、上側及び下側ＯＳＤデータが入力されると、ＯＳＤメモリ１２の内容を消去し、まず下側ＯＳＤデータをＯＳＤメモリ１２に書き込み、その上から上側ＯＳＤデータを上書きする。ここで、下側ＯＳＤ画像は、例えば、各種操作を受け付けるメニュー表示であり、上側ＯＳＤ画像は、例えば、禁止された操作をした場合に表示する禁止マークである。
【０００４】
下側ＯＳＤ画像が更新された場合には、ＯＳＤメモリ１２の内容を消去し、まず下側ＯＳＤデータをＯＳＤメモリ１２に書き込み、その上から上側ＯＳＤデータを上書きする。また、上側ＯＳＤ画像が更新されえた場合にも、ＯＳＤメモリ１２の内容を消去し、まず下側ＯＳＤデータをＯＳＤメモリ１２に書き込み、その上から上側ＯＳＤデータを上書きする。
（１）特開平１１−１２６２５２号公報には、異種図面の重ね合わせ表示方法が記載されている。この方法では、複数の特徴点を基準にして２種類の地図データを位置合わせして表示するものである。
（２）特開２０００−２８４７７６号公報には、主画像に重ねてＯＳＤ画像を表示する画像処理装置が記載されている。この画像処理装置では、フレームメモリに主画像とともにＯＳＤデータを格納しておき、これらを表示用バッファに読み出すことにより、文字画像のみでなく自然画などの任意の画像をＯＳＤ画像として表示できるようにしたものである。
（３）特開２００２−６４６９７号公報には、主画像に重ねてＯＳＤ画像を表示する画像処理装置が記載されている。この画像処理装置では、フレームメモリに格納されているＯＳＤデータを読み出し、ＯＳＤ画像を拡大したり、階調データを増加させてから、表示用バッファに書き込む。これにより、画像メモリとやりとりするデータ量を低減している。
【０００５】
【発明が解決する課題】
図１に記載したＯＳＤ表示機能付映像表示装置では、ＯＳＤメモリ１２はＯＳＤ画像を１画面分しか格納できない。そのため、下側又は上側ＯＳＤデータのみが更新された場合でも、ＯＳＤメモリ１２の内容を消去し、下側ＯＳＤデータ、上側画像データを順番に書き込む必要がある。このように、下側又は上側ＯＳＤデータのみが更新された場合に、ＯＳＤメモリ１２の内容の消去、上側ＯＳＤデータの書き込み、下側ＯＳＤデータの書き込みという３段階の処理が必要であり、ＯＳＤ　ＩＣ１に送る命令が多くなり処理が遅くなり、画面がちらついて見辛くなることがある。
（１）特開平１１−１２６２５２号公報には、複数の特徴点を基準にして２種類の地図データを位置合わせる方法が記載されているが、映像データとＯＳＤデータとの合成については記載されていない。また、映像データとＯＳＤデータとの合成についての示唆もない。
（２）特開２０００−２８４７７６号公報には、映像とＯＳＤ画像との合成については記載されているが、上側及び下側ＯＳＤデータを合成する点については記載されていない。また、ＯＳＤ画像の背景を透明データとし、花の画像のみを映像に重ね合わせて、ＯＳＤ画像の背景部分を表示しないようにしている。しかし、これは、１画面分のＯＳＤ画像の一部である背景を表示するか否かについての記載であり、２画面分のＯＳＤ画像、即ち上側及び下側ＯＳＤデータを重ねて表示することについての記載はない。
（３）特開２００２−６４６９７号公報には、ＯＳＤ画像を少ないデータ量で格納しておき、ＯＳＤ画像を拡大等してから映像に合成することが記載されているが、２画面分のＯＳＤ画像、即ち上側及び下側ＯＳＤデータを重ねて表示することについての記載はない。
【０００６】
本発明の目的は、ＯＳＤデータを１画面分のみ格納可能なＯＳＤ　ＩＣを使用するＯＳＤ表示機能付映像表示装置において、ＯＳＤ画面の更新の際のＯＳＤ　ＩＣでの処理を簡略化することにある。
また、本発明の目的は、ＯＳＤデータを１画面分のみ格納可能なＯＳＤ　ＩＣを使用するＯＳＤ表示機能付映像表示装置において、ＯＳＤ画面の更新の際の画面のちらつきを低減することにある。
【０００７】
【課題を解決するための手段】
第１発明に係るＯＳＤ（オンスクリーンディスプレイ）表示機能付映像表示装置は、ＯＳＤデータを１画面分のみ格納可能なＯＳＤ　ＩＣを使用するＯＳＤ表示機能付映像表示装置において、ＯＳＤ　ＩＣと、ＣＰＵとを備えている。ＯＳＤ　ＩＣは、映像データとＯＳＤデータとを合成する。ＣＰＵは、ＯＳＤ画面の下側画面及び上側画面に対応する下側ＯＳＤデータと上側ＯＳＤデータとを格納可能であり、下側ＯＳＤデータと上側ＯＳＤデータとを合成し、合成後のＯＳＤデータをＯＳＤ　ＩＣに書き込む。
【０００８】
ここで、ＯＳＤ表示機能付映像表示装置は、例えば、テレビ、ビデオデッキ、ＤＶＤデッキである。
このＯＳＤ表示機能付映像表示装置によれば、下側ＯＳＤデータ又は上側ＯＳＤデータのいずれかのみが更新された場合に、ＣＰＵにおいて下側ＯＳＤデータ又は上側ＯＳＤデータのいずれかを更新し、更新後の下側及び上側ＯＳＤデータを合成し、合成後のＯＳＤデータをＯＳＤ　ＩＣに書き込む。そのため、１画面分のＯＳＤデータしか格納できないＯＳＤ　ＩＣにおいて、上側又は下側ＯＳＤデータのみが更新された場合にも、ＯＳＤデータをＯＳＤ　ＩＣに１回書き込むだけで良い。この結果、ＯＳＤ　ＩＣでの処理が簡素化され、画面のちらつきが低減される。
【０００９】
また、ＣＰＵにおいて、下側及び上側ＯＳＤデータの格納、これらのＯＳＤデータの合成を行うので、従来に比べて特別なハードウェアを追加する必要がない。
第２発明に係るＯＳＤ表示機能付映像表示装置は、ＯＳＤデータを１画面分のみ格納可能なＯＳＤ　ＩＣを使用するＯＳＤ表示機能付映像表示装置において、ＯＳＤ　ＩＣと、メモリと、ＯＳＤ合成手段とを備えている。ＯＳＤ　ＩＣは、映像データとＯＳＤデータとを合成する。メモリは、ＯＳＤ画面の下側画面及び上側画面に対応する下側ＯＳＤデータと上側ＯＳＤデータとを格納可能である。ＯＳＤ合成手段は、下側ＯＳＤデータと上側ＯＳＤデータとを合成し、合成後のＯＳＤデータを前記ＯＳＤ　ＩＣに書き込む。
【００１０】
ここで、ＯＳＤ表示機能付映像表示装置は、例えば、テレビ、ビデオデッキ、ＤＶＤデッキである。
このＯＳＤ表示機能付映像表示装置によれば、下側ＯＳＤデータ又は上側ＯＳＤデータのいずれかのみが更新された場合に、メモリにおいて下側ＯＳＤデータ又は上側ＯＳＤデータのいずれかを更新し、ＯＳＤ合成手段で更新後の下側及び上側ＯＳＤデータを合成し、合成後のＯＳＤデータをＯＳＤ　ＩＣに書き込む。そのため、１画面分のＯＳＤデータしか格納できないＯＳＤ　ＩＣにおいて、上側又は下側ＯＳＤデータのみが更新された場合にも、合成ＯＳＤデータをＯＳＤＩＣに１回書き込むだけで良い。この結果、ＯＳＤ　ＩＣでの処理が簡素化され、画面のちらつきが低減される。
【００１１】
第３発明に係るＯＳＤ表示機能付映像表示装置は、第２発明に係る装置において、メモリ及びＯＳＤ合成手段はＣＰＵに含まれる。
この場合、メモリ及びＯＳＤ合成手段をＣＰＵで構成するので、従来に比べて特別なハードウェアを追加する必要がない。
【００１２】
【発明の実施の形態】
（１）構成
図２は、本実施形態例に係るＯＳＤ表示機能付映像表示装置における映像データとＯＳＤデータとの合成を説明するブロック図である。ＯＳＤ表示機能付映像表示装置は、例えば、テレビ、ビデオデッキ、ＤＶＤデッキである。
【００１３】
ＯＳＤ　ＩＣ１は、映像データメモリ１１と、ＯＳＤメモリ１２と、合成部１３とを備えている。映像データメモリ１１は、ＣＰＵ２０からの読込同期信号に基づいて映像データを格納する。映像データは、例えば、テレビチューナからの映像データ、ビデオテープから読み出された映像データ、ＤＶＤから読み出された映像データである。ＯＳＤメモリ１２は、ＯＳＤデータを１画面分だけ格納可能であり、ＣＰＵ２０から書き込まれるＯＳＤデータを格納する。合成部１３は、ＣＰＵ２０からの合成制御信号に基づいて、映像データメモリ１１の映像データとＯＳＤメモリ１２のＯＳＤデータとを合成して出力する。
【００１４】
ＣＰＵ２０は、ＯＳＤ　ＩＣ１に接続されており、ＯＳＤ　ＩＣ１の制御を行う。具体的には、映像データの読み込みの制御、ＯＳＤ画像の書き込み制御、映像とＯＳＤ画像との合成の制御を行う。
また、ＣＰＵ２０は、上側及び下側ＯＳＤデータを合成し、合成ＯＳＤデータを作成する。ＣＰＵ２０はメモリ２１を有しており、メモリ２１は上側ＯＳＤデータと下側ＯＳＤデータとを格納する領域を有している。ＣＰＵ２０は、上側ＯＳＤデータ及び下側ＯＳＤデータをメモリ２１の対応する領域に格納し、各領域から上側及び下側ＯＳＤデータを読み出してこれらを合成する。
【００１５】
本実施形態例では、ＣＰＵ２０に２画面分（上側及び下側）のＯＳＤデータを格納するメモリ２１を設け、上側及び下側ＯＳＤデータのいずれかが更新された場合には、メモリ２１のいずれかのＯＳＤデータのみを更新し、更新後のメモリ２１から上側及び下側ＯＳＤデータを読み出し、これらを合成した後、ＯＳＤ　ＩＣ１に書き込む。
【００１６】
上側及び下側両方のＯＳＤデータが更新された場合には、メモリ２１において上側及び下側両方のＯＳＤデータを更新し、更新後のメモリ２１から上側及び下側ＯＳＤデータを読み出し、これらを合成した後、ＯＳＤ　ＩＣに書き込む。
（２）フローチャート
図３は、本実施形態例に係るＯＳＤ表示機能付映像表示装置におけるＯＳＤデータの書き込み処理を示すフローチャートである。
【００１７】
ステップＳ１１：ＯＳＤデータが入力されると、ＣＰＵ２０はＯＳＤデータが上側ＯＳＤデータか否かを判別する。ＯＳＤデータが上側ＯＳＤデータである場合にはステップＳ１３に移行し、ＯＳＤデータが上側ＯＳＤデータでない場合にはステップＳ１２に移行する。
ステップＳ１２：ＣＰＵ２０はＯＳＤデータが下側ＯＳＤデータか否かを判別する。ＯＳＤデータが下側ＯＳＤデータである場合にはステップＳ１４に移行し、ＯＳＤデータが下側ＯＳＤデータでない場合にはステップＳ１１に戻る。
【００１８】
ステップＳ１３：ＣＰＵ２０は、メモリ２１の上側ＯＳＤデータを更新する。
ステップＳ１４：ＣＰＵ２０は、メモリ２１の下側ＯＳＤデータを更新する。
ステップＳ１５：ＣＰＵ２０は、メモリ２１から上側及び下側ＯＳＤデータを読み出し、これらを合成する。
ステップＳ１６：ＣＰＵ２０は、ＯＳＤ　ＩＣ１のメモリ２１の内容を消去し、ＯＳＤメモリ２１に合成ＯＳＤデータを書き込む。
（３）まとめ
本実施形態例に係るＯＳＤ表示機能付映像表示装置では、ＣＰＵ２０に２画面分（上側及び下側）のＯＳＤデータを格納するメモリ２１を設け、メモリ２１から上側及び下側ＯＳＤデータを読み出し、これらを合成してから合成ＯＳＤデータをＯＳＤ　ＩＣ１に書き込む。
【００１９】
そのため、上側及び下側ＯＳＤデータのいずれかのみが更新された場合には、メモリ２１の上側及び下側ＯＳＤデータのみを更新し、メモリ２１の更新後、メモリ２１から上側及び下側ＯＳＤデータを読み出し、これらを合成したのち、更新された合成ＯＳＤデータをＯＳＤ　ＩＣ１に書き込めば良い。即ち、従来は、上側又は下側ＯＳＤデータのいずれかのみが更新された場合にも、ＯＳＤ　ＩＣ１に上側及び下側ＯＳＤデータをそれぞれ２回書き込みを行う必要があったが、ＯＳＤ　ＩＣ１に合成画像を１回だけ書き込めば良く、書き込み回数が少なくなる。この結果、ＯＳＤ　ＩＣ１での処理が簡素化され、画面のちらつきが低減される。
【００２０】
また、ＣＰＵ２０において、下側及び上側ＯＳＤデータの格納、これらのＯＳＤデータの合成を行うので、従来に比べて特別なハードウェアを追加する必要がない。
【００２１】
【発明の効果】
本発明によれば、ＯＳＤデータを１画面分のみ格納可能なＯＳＤ　ＩＣを使用するＯＳＤ表示機能付映像表示装置において、ＯＳＤ画面の更新の際のＯＳＤ　ＩＣでの処理を簡略化できる。
また、本発明によれば、ＯＳＤデータを１画面分のみ格納可能なＯＳＤ　ＩＣを使用するＯＳＤ表示機能付映像表示装置において、ＯＳＤ画面の更新の際の画面のちらつきを低減できる。
【図面の簡単な説明】
【図１】従来のＯＳＤ表示機能付映像表示装置における映像データとＯＳＤデータとの合成を説明するブロック図。
【図２】本実施形態例に係るＯＳＤ表示機能付映像表示装置における映像データとＯＳＤデータとの合成を説明するブロック図。
【図３】本実施形態例に係るＯＳＤ表示機能付映像表示装置におけるＯＳＤデータの書き込み処理を示すフローチャート。
【符号の説明】
１　　ＯＳＤ　ＩＣ
１１　映像データメモリ
１２　ＯＳＤメモリ
１３　合成部
２　　ＣＰＵ
【図１】
2004088478.tif 000003
【図２】
2004088478.tif 000004
【図３】
2004088478.tif 000005